【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
新聞紙からなるシートの両端をつないで筒を形成する筒形成ステップと、
前記筒の軸方向に平行な２つの軸折り目を基準にして前記筒を平坦にする平坦化ステップと、
前記平坦化ステップの後に行われ、前記筒の一端部を折り、前記折られた一端部が底をなす容器をつくる底形成ステップと、
前記底形成ステップの後に行われ、棒状の持ち手の前記筒の内面に取り付ける持ち手設置ステップと、
を備え、
前記底形成ステップは、
前記筒の一端側を開き、対となった前記底の前駆体を形成する底前駆体形成ステップと、
前記一端側の開口を塞ぐように前記底の前駆体を折り返す閉塞ステップとを有し、
前記持ち手設置ステップは、
前記持ち手の端部を、前記底形成ステップにおける前記底の前記前駆体の折り返し部分の隙間に挿入して固定する
ことを特徴とする容器の製造方法。
【請求項２】
前記底形成ステップの後に行われ、前記２つの軸折り目の近傍部分をそれぞれ折り返し、容器のマチ部となるマチ部形成折り目を前記２つの軸折り目の間に形成するマチ形成ステップと、
を備えることを特徴とする請求項１に記載の容器の製造方法。
【請求項３】
前記２つの軸折り目と同一直線上に延びるガイド折り目を前記底に形成するガイド折り目形成ステップを、さらに備え、
前記閉塞ステップにおいて、前記底の前駆体が折り返される線を底折り返し線と定義した際、
前記ガイド折り目は、前記底折り返し線と交わらないことを特徴とする請求項２に記載の容器の製造方法。
【請求項４】
新聞紙からなるシートの両端をつないで筒を形成する筒形成ステップと、
前記筒の軸方向に平行な２つの軸折り目を基準にして前記筒を平坦にする平坦化ステップと、
前記平坦化ステップの後に行われ、前記筒の一端部を折り、前記折られた一端部が底をなす容器をつくる底形成ステップと、
前記底形成ステップの後に行われ、前記２つの軸折り目の近傍部分をそれぞれ折り返し、容器のマチ部となるマチ部形成折り目を前記２つの軸折り目の間に形成するマチ形成ステップと、
を備え、
前記底形成ステップは、
前記筒の一端側を開き、対となった前記底の前駆体を形成する底前駆体形成ステップと、
前記一端側の開口を塞ぐように前記底の前駆体を折り返す閉塞ステップとを有することを特徴とする容器の製造方法。
【請求項５】
前記２つの軸折り目と同一直線上に延びるガイド折り目を前記底に形成するガイド折り目形成ステップを、さらに備えることを特徴とする請求項４記載の容器の製造方法。
【請求項６】
前記ガイド折り目形成ステップは前記マチ形成ステップと同時に行うことを特徴とする請求項５記載の容器の製造方法。
【請求項７】
前記閉塞ステップにおいて、前記底の前駆体が折り返される線を底折り返し線と定義した際、
前記ガイド折り目は、前記底折り返し線と交わらないことを特徴とする請求項４ないし６のうちいずれか１項記載の容器の製造方法。
【請求項８】
複数の新聞紙を重ねてシートをつくるシート形成ステップと、
前記シートの両端をつないで筒を形成する筒形成ステップと、
前記筒の一端部を折り、前記折られた一端部が底をなす容器をつくる底形成ステップと、を備え、
前記シート形成ステップでは、前記容器の開口部となる部分を折り返すことを特徴とする容器の製造方法。
【請求項９】
新聞紙からなるシートを折って容器を製造する際、前記容器の製造条件を表す条件識別子を備えることを特徴とする容器用製造条件見出し。
【請求項１０】
前記条件識別子に前記シートの折り目の設定位置を表す識別子が複数含まれる場合、
前記識別子は、当該折り目が前記シートに設けられる順番に並ぶことを特徴とする請求項９記載の容器用製造条件見出し。
【請求項１１】
前記新聞紙を特定するための新聞紙識別子を備えることを特徴とする請求項９または１０記載の容器用製造条件見出し。
【請求項１２】
前記条件識別子は、前記新聞紙から作成されるシートのサイズを表すサイズ識別子を有することを特徴とする請求項７ないし９のうちいずれか１項記載の容器用製造条件見出し。
【請求項１３】
前記条件識別子は、前記シートにおける前記新聞紙の重ね枚数を表す枚数識別子を有することを特徴とする請求項９ないし１２のうちいずれか１項記載の容器用製造条件見出し。
【請求項１４】
前記シートよりも寸法の大きな新聞紙を折り、前記シートをつくるステップをシート形成ステップと定義した場合、
前記条件識別子は、前記シート形成ステップにおける前記新聞紙の縁の折り返し量を表すシート形成条件識別子を有することを特徴とする請求項９ないし１３のうちいずれか１項記載の容器用製造条件見出し。
【請求項１５】
前記容器の形成前に行われ、前記容器の開口部用折り目を前記シートに付けるステップを開口折り目形成ステップと、前記開口部用折り目を基準にして前記容器の開口部を折り返すステップを開口折り返しステップと、それぞれ定義した場合、
前記条件識別子は、前記開口部用折り目の設定位置を表す開口折り目識別子を有することを特徴とする請求項９ないし１４のうちいずれか１項記載の容器用製造条件見出し。
【請求項１６】
前記シートの両端をつなぎ前記シートから筒を形成するステップを筒形成ステップと、前記筒の一端部を折って前記折られた一端部が底をなす前記容器をつくるステップを底形成ステップと、それぞれ定義した場合に、
前記底形成ステップは、
前記筒の軸方向に平行な２つの軸折り目を基準にして前記筒を平坦にする平坦化ステップと、
前記平坦化された筒のうち前記容器の底側となる部分の両角部に角折り目を付ける角折り目形成ステップと、
前記角折り目を基準にして前記筒の一端側を開き、対となった前記底の前駆体を形成する底前駆体形成ステップと、
前記一端側の開口を塞ぐように前記底の前駆体を折り返す閉塞ステップと、を有し、
前記条件識別子は、前記角折り目の設定位置を表す角折り目識別子を備えること
を特徴とする請求項９ないし１５のうちいずれか１項記載の容器用製造条件見出し。
【請求項１７】
前記底形成ステップは、前記平坦化ステップの後であって前記底前駆体形成ステップの前に行われ、前記平坦化された前記筒の一端側に前記軸折り目と交差する交差折り目を形成する交差折り目形成ステップをさらに有し、
前記条件識別子は、前記交差折り目の設定位置を表す交差折り目識別子を備えることを特徴とする請求項１６記載の容器用製造条件見出し。
【請求項１８】
前記条件識別子は、前記閉塞ステップにおける前記底の前駆体の折り返し位置を表す底折り返し位置識別子を備えることを特徴とする請求項１６または１７記載の容器用製造条件見出し。
【請求項１９】
前記容器のマチ部となる２本のマチ形成折り目が対となって前記筒に形成されるように前記筒を折るステップをマチ形成ステップと定義した場合に、
前記マチ部の幅となる前記２本のマチ形成折り目の間隔が、前記底の前駆体の折り返し位置によって決定される前記容器の底の幅よりも狭いことを表すマチ形状識別子を備えることを特徴とする請求項１６ないし１８のうちいずれか１項記載の容器用製造条件見出し。
【請求項２０】
前記シートの両端をつなぎ、前記シートから筒を形成するステップを筒形成ステップと、前記容器のマチ部となる２本のマチ形成折り目が対となって前記筒に形成されるように前記筒を折るステップをマチ形成ステップと、それぞれ定義した場合に、
前記条件識別子は、前記マチ形成折り目の形成位置を表すマチ形成折り目識別子を備えることを特徴とする請求項９ないし１９のうちいずれか１項記載の容器用製造条件見出し。